(57)【要約】【課題】ベースプレート部に強固に粘着ないし磁着しているベースプレートを少ない力で壁面から引き剥がせるようにした浴室用品収納ラックを提供する。【解決手段】壁面に当接させる比較的大きな面積を有するベースプレート部３と、このベースプレート部の下端部に設けられる棚板部４およびこの棚板部の周囲を所定高さでカバーするスカート部５とから構成され、前記ベースプレート部は壁面との当接面に粘着層または磁着層７を形成してあり、前記棚板部は前記ベースプレート部の下端部付近にベースプレート部と一体成形されているが、前記スカート部はベースプレート部に一体成形されておらず、ベースプレート部から必要に応じて取り外しができるようになっており、収納ラック本体の浴室壁面への取付位置を変更するに際し、前記スカート部をベースプレート部から取り外し、前記棚板部を掴んで上方へ持ち上げることによりベースプレート部の下部を撓ませてベースプレート部を壁面から容易に引き剥がせるようにした。【選択図】図１
2019129935.tif 000002
【特許請求の範囲】
【請求項１】
浴室内の壁面に粘着または磁着によって取付ける合成樹脂製の浴室用収納ラックにおいて、収納ラック本体は壁面に当接させる比較的大きな面積を有するベースプレート部と、このベースプレート部の下端部に設けられる棚板部およびこの棚板部の周囲を所定高さでカバーするスカート部とから構成され、前記ベースプレート部は壁面との当接面の全部または一部に粘着層または磁着層を形成してあり、前記棚板部は前記ベースプレート部の下端部付近にベースプレート部と一体成形されているが、前記スカート部はベースプレート部に一体成形されておらず、ベースプレート部から必要に応じて取り外しができるようになっており、収納ラック本体の浴室壁面への取付位置を変更するに際しては、前記スカート部をベースプレート部から取り外し、前記棚板部を掴んで上方へ持ち上げることによりベースプレート部の下部を撓ませてベースプレート部を壁面から容易に引き剥がせるようにしたことを特徴とする浴室用収納ラック。
【発明の詳細な説明】
【技術分野】
【０００１】
本発明は浴室内で用いるボディーソープやシャンプーボトル、リンスボトル、髭剃り等の浴室用品類を収納するための浴室用収納ラックに関する。
【背景技術】
【０００２】
浴室用品類を整然と収納するため、下記の特許文献１には、浴室の洗い場壁面の低い位置にカウンターを設けると共に、このカウンターの下方に開閉自在な扉を設けて、この扉に浴室用小物入れとしての水切りラックを固定するようにした浴室用小物入れが開示されている。
【０００３】
上記した従来の浴室用小物入れによった場合は、カウンターの下方に設けられた扉を閉じることによって水切りラックの所在が隠れるので見栄えの向上に効果があるとしても、浴室用品類を使用する際はその都度、扉を解放しなければならず、面倒であると共に、扉を解放した状態では、浴室内に水切りラックが突出した状態となり身体に接触する等の問題が生ずる。
【０００４】
そのため、収納ラック本体の裏面に粘着剤を取付けて、浴室の内壁面に粘着させたり、あるいは浴室の壁面構造体がフィルムラミネート化粧鋼板等磁性体から構成されている場合には、収納ラック本体の裏面にフェライト粉末等を配合させた合成ゴムベースを設けて、浴室の内壁面に磁着させることにより各種浴室用品類を収納する浴室用収納ラックを取付けるようにしている。
【先行技術文献】
【特許文献】
【０００５】
【特許文献１】実用新案出願公開平２−７１３８８号公報
【発明の概要】
【発明が解決しようとする課題】
【０００６】
上記した粘着剤による粘着力や、フェライト磁石による磁着力を利用した従来の収納ラックの場合、比較的重量のあるシャンプーボトルやソープボトル等の荷重に耐えられるように、収納ラック本体の裏面に広い面積で粘着層または磁着層を形成したり、あるいは特別に高い粘着力を発現する粘着剤や、フェライト粉末の配合量を高めた強い磁着力を有する合成ゴムベースを用いる必要がある。
【０００７】
しかしながら、粘着力や磁着力の強い素材を用いたり、収納ラックの裏面に広い面積で粘着層または磁着層を形成した場合、収納ラックの取付け位置を変更する際に、壁面から容易に取り外すことができず、壁面と収納ラック本体の当接面の間にドライバー等の器具類を挿入して剥がそうとした場合には、壁面を傷付けたり手指を怪我するおそれがある。
【０００８】
特に、合成樹脂によって作製された従来型収納ラックの場合、壁面に当接させるベースプレート部と、このベースプレート部の下端部に設けられる棚板部及びこの棚板部の周囲を所定高さでカバーするスカート部が一体的に形成されており、当該スカート部の左右両端縁が、ベースプレート部の左右両縁を一定高さで抑え付けることになるので、ベースプレート部を下端部から上方に向けて撓ますことができず、高齢者など力の弱い者にとっては実質的に磁着面または粘着面を引き離すことができないという問題がある。また、スカート部が棚板部およびベースプレート部と一体的に設けられていたため棚板部の底面の汚れを落とすのに多くの手間を要するという問題があった。
【０００９】
本発明は、上記した従来型浴室用収納ラックの問題点を解決し、ベースプレート部の撓みを阻害しているスカート部をベースプレート部から取り外すことができるようにして、収納ラックの裏面に広い面積で粘着層または磁着層を形成したり、あるいは特別に高い粘着力を発現する粘着剤や、フェライト粉末の配合量を高めた強い磁着力を発現する素材を用いた場合であっても、ベースプレート部の粘着面または磁着面を少ない力で容易に引き剥がすことができ、使用者の所望の位置に容易に取付位置を変更することができるようにした浴室用収納ラックを提供することを目的とするものである。
【課題を解決するための手段】
【００１０】
上記課題を解決するための本発明の構成を詳述すれば、請求項１に係る発明は、浴室内の壁面に粘着または磁着によって取付ける合成樹脂製の浴室用収納ラックにおいて、収納ラック本体は壁面に当接させる比較的大きな面積を有するベースプレート部と、このベースプレート部の下端部に設けられる棚板部およびこの棚板部の周囲を所定高さでカバーするスカート部とから構成され、前記ベースプレート部は壁面との当接面の全部または一部に粘着層または磁着層を形成してあり、前記棚板部は前記ベースプレート部の下端部付近にベースプレート部と一体成形されているが、前記スカート部はベースプレート部に一体成形されておらず、ベースプレート部から必要に応じて取り外しができるようになっており、収納ラック本体の浴室壁面への取付位置を変更するに際しては、前記スカート部をベースプレート部から取り外し、前記棚板部を掴んで上方へ持ち上げることによりベースプレート部の下部を撓ませてベースプレート部を壁面から容易に引き剥がせるようにしたことを特徴とする浴室用収納ラックである。
【００１１】
なお、ベースプレート部とスカート部の脱着構造は特に限定されるものではなく、例えばスカート部の左右両袖部端面に係合突起を形成すると共に、ベースプレート部の両端部に前記係合突起が嵌入し得る鍵穴状の通孔を設け、スカート部に突設した係合突起を、ベースプレート部の鍵穴状の通孔内に嵌入させ、係合突起の小径部を前記通孔の下端部に落とし込んでスカート部をベースプレート部に固定できるようにし、一方、前記とは逆の操作によりスカート部をベースプレート部から取り外すことができる構造等が好適に用いられる。
【発明の効果】
【００１２】
本発明によれば、ベースプレート部の撓みを阻害しているスカート部をベースプレート部から取り外すことができるので、強い粘着力または磁着力によって強固に浴室壁面に定着しているベースプレート部であっても、少ない力で容易に引き剥がすことができ、使用者の所望の位置に浴室用収納ラックを取付けることが可能となる。
【００１３】
なお、通常の使用時にはベースプレート部の下端部にスカート部が固定され、スカート部の左右両袖部が、ベースプレート部の左右両縁を一定高さで抑え付けることになるので、ベースプレート部の下端部を撓ませることができず、強い粘着力または磁着力によってベースプレート部は壁面に安定した状態で固定され、シャンプーボトル等浴室用品に対する充分な耐荷重性を発揮することができる。
【００１４】
また、本発明によった場合は、ベースプレート部からスカート部を外すことができるので、経年的に棚板部の上面やスカート部の内周面に付着した汚れを容易に取り除くことができる。
【図面の簡単な説明】
【００１５】
【図１】本発明に係る浴室用収納ラックの一実施形態を示すものであり、ベースプレート部からスカート部を外した状態の一例を示す斜視図である。
【図２】ベースプレート部からスカート部を外した状態の壁面側からみた斜視図である。
【図３】ベースプレート部にスカート部を固定した状態の一例を示す斜視図である。
【図４】本発明に係る浴室用収納ラックの使用状態の一例を示す斜視図である。
【図５】ベースプレート部とスカート部の他の脱着構造の一例を示す斜視図である。
【図６】図５に示す実施形態におけるベースプレート部とスカート部の壁面側からみた斜視図である。
【発明を実施するための形態】
【００１６】
以下、本発明に係る浴室用収納ラックの具体的構成を図示の実施形態について詳細に説明する。
なお、以下に示す実施形態は本発明の技術思想を具体化するための浴室用収納ラックの一例を示すに過ぎないものであって、本発明は以下の説明及び図示したものに限定されるものではない。特に、実施の形態及び図面に示されている構成要素の形状、デザイン、寸法、相対的配置等は、特定的な記載がない限り、本発明の範囲をそれのみに限定する趣旨ではなく、単なる説明例に過ぎないものである。
【００１７】
図中１は剛性、加工性、耐衝撃性、曲げ疲労性などの機械的特性に優れた機能を有するＡＢＳ樹脂を始めとした合成高分子材料によって作製された収納ラック本体の全体を示すもので、当該収納ラック本体１は浴室の壁面２に当接する比較的大きな面積を有するベースプレート部３と、当該ベースプレート部３の下端部付近に位置する棚板部４と、当該棚板部４の周囲を所定高さでカバーするスカート部５とから構成される。
【００１８】
ベースプレート部３は浴室の壁面２に当接させる比較的大きな面積を有しており、壁面２に接することとなる当接面６の全部または一部に粘着層または磁着層７を形成する。図示の実施形態では、ベースプレート部３の当接面６は周縁部８のみが少し高くなるように成形してあり、周縁部８に囲まれた低位置の全部または一部に粘着層または磁着層７を形成してあり、当該低位置に粘着層または磁着層７が形成されることにより、全体の高さは周縁部８とほぼ同一高さとなるように設定してある。
【００１９】
粘着層７は浴室内壁面の平滑な表面に粘着ないし吸着して通常の使用状態では剥がれず、必要なときは粘着ないし吸着方向とは逆向きの外力を加えることによって跡形を残さずに綺麗に剥がすことができる粘着ないし吸着シート類が好適に用いられる。
【００２０】
また、浴室の壁面構成材としてフィルムラミネート化粧鋼板等磁性体が使用されている場合には、前記した粘着ないし吸着シート類の他に、ベースプレート部３における当接面６の全部または一部に粘着層または磁着層７を形成し、ベースプレート部３を壁面２に磁着によって取付けるようにすることができる。なお、磁着層７はフェライト粉末を配合した合成ゴムシート状物が好適に用いられる。
【００２１】
次に、ベースプレート部３の下端部に位置する棚板部４は、図４に示すようにシャンプーボトルなどの浴室用品類９を受けるためのものであり、ベースプレート部３の下端部付近にベースプレート部３の垂直面とほぼ直交するように一体成形されている。
【００２２】
前記した棚板部４と共に、浴室用品類９を安定的に保持するためのスカート部５は、棚板部４と異なってベースプレート部３には一体成形されておらず、ベースプレート部３から必要に応じて取り外しができる構造となっている。
すなわち、ベースプレート部３の左右両袖部１０の端面がベースプレート部３と一体となっていた場合には、ベースプレート部３の両端をスカート部５の高さにおいて抑え付けることとなるので、ベースプレート部３を引き剥がすことができない。そのため、本発明に係る浴室用収納ラックにおいては、スカート部５をベースプレート部３から必要に応じて取り外せるようにしたものである。
【００２３】
ベースプレート部３からスカート部５を取り外した状態では、ベースプレート部３の下端部が拘束から解除された状態となるので、ベースプレート部３に一体的に設けられている棚板部４を掴んで上に少し持ち上げれば、ベースプレート部３の粘着乃至磁着を解くことができるのである。
【００２４】
図１ないし図４に示す実施形態におけるスカート部５の脱着構造は、スカート部５の左右両袖部１０，１０の端面に係合突起１１、１１を突成すると共に、ベースプレート部３の両端部に前記係合突起１１，１１が嵌入し得る鍵穴状の通孔１２，１２を設け、スカート部５に突設した係合突起１１、１１を、ベースプレート部３の鍵穴状通孔１２，１２内に嵌入させ、係合突起１１，１１の小径部１３，１３を前記通孔１２，１２の下端部に落とし込んでスカート部５をベースプレート部３に固定できるようになっており、前記とは逆の操作によりスカート部５をベースプレート部３から取り外すことができる。
【００２５】
ベースプレート部３とスカート部５の脱着構造は前記したものに限定されず、図５および図６に示す嵌合構造としてもよい。
すなわち、スカート部５における左右両袖部１０，１０の端面部１７，１７に、下側が開口となった所定長さのスリット１４，１４を形成すると共に、ベースプレート部３の表面側両端付近にほぼＬ字状をなす所定長さの係合突片１６，１６を形成し、前記スリット１４，１４の下側開口部１５，１５内に前記係合突片１６，１６を挿着し、係合突片１６，１６の頂部にスリット１４，１４の上端部を当接係止させて両者を係合させる構造としてもよい。
【００２６】
このように、本発明に係る浴室用品収納ラックにおいては、スカート部５をベースプレート部３から取り外して、ベースプレート部３を壁面２から容易に引き剥がせるようにしたものであり、図４に示す使用状態から、スカート部５を取り外す場合は、先ず、シャンプーボトルなどの浴室用品類９を棚板部４とスカート部５によって形成されているポケット部から取り出す。
次いで、図１ないし図３に示す脱着構造の場合は、スカート部５の左右両端を手で抑えて上方に持ち上げるとスカート部５側の係合突起１１，１１の小径部１３，１３が鍵穴状通孔１２、１２の大径部内に移動し、この状態でスカート部５を前方に引き抜くことによってスカート部５をベースプレート部３から外すことができる。
【００２７】
ベースプレート部３からスカート部５が取り除かれた状態では、ベースプレート部３の撓みを抑えていた押圧力が解除されるので、ベースプレート部３の下端部付近に突成されている棚板部４を掴んで上方に少し持ち上げることによりベースプレート部３を撓ませることができ、壁面に強固に粘着ないし磁着していたベースプレート部３を少しの力で剥がすことができる。
【００２８】
以上のように、本発明によれば、ベースプレート部を大きくして広い面積に粘着層または磁着層を形成したり、あるいは特別に高い粘着力を示現する粘着剤や、フェライト粉末の配合量を高めた強い磁着力を有する合成ゴムベースを用いて耐荷重強度を高めた浴室用収納ラックを提供することができると共に、取付位置を容易に変更することができる浴室用収納ラックを提供することができる。
また、内部の汚れを取り除き易いメンテナンスの容易な浴室用収納ラックを提供することができる。
【符号の説明】
【００２９】
１：収納ラック本体
２：壁面
３：ベースプレート部
４：棚板部
５：スカート部
６：当接面
７：粘着層または磁着層
８：周縁部
９：浴室用品類
１０：左右両袖部
１１：係合突起
１２：通孔
１３：小径部
１４：スリット
１５：下側開口部
１６：係合突片
１７：端面部
【図１】
2019129935.tif 000003
【図２】
2019129935.tif 000004
【図３】
2019129935.tif 000005
【図４】
2019129935.tif 000006
【図５】
2019129935.tif 000007
【図６】
2019129935.tif 000008